(57)【要約】【課題】記録媒体表面上でのインクの滲みを判定し、インクの滲みを防止する。【解決手段】記録データを記録媒体に記録する記録速度、インクの吐出量及び吐出されたインクを前記記録媒体に定着させる定着エネルギーの少なくとも一つを複数段階変化させて各インク色の所定長の線分を所定幅で記録した複数の滲み判定用パッチからなる滲み判定プリントを出力し、前記出力された滲み判定プリントの各滲み判定用パッチの濃度を測定し、前記滲み判定用パッチの濃度測定結果に基いて前記インクの前記記録媒体への滲みを判定し、滲み判定結果に基いて滲みを回避するように画像記録を制御する。【選択図】      図１
2005313633.tif 000002
【特許請求の範囲】
【請求項１】
記録媒体上に吐出されたインクの前記記録媒体への滲みを判定する滲み判定方法であって、
前記記録データを前記記録媒体に記録する記録速度、前記吐出されるインクの吐出量及び前記吐出されたインクを前記記録媒体に定着させる定着エネルギーをパラメータとして少なくとも一つを複数段階変化させて各インク色の所定長の線分を所定幅で記録した複数の滲み判定用パッチからなる滲み判定プリントを出力し、
前記出力された滲み判定プリントの各滲み判定用パッチの濃度を測定し、前記滲み判定用パッチの濃度測定結果に基いて前記インクの前記記録媒体への滲みを判定することを特徴とする滲み判定方法。
【請求項２】
前記滲み判定用パッチを構成する各インク色の線分の濃度を該線分に対し略垂直方向に測定し、最高濃度、線分のエッジががたついている度合いを示すギザツキ度及び線分の幅の各値とを用いて評価して滲みを判定することを特徴とする請求項１に記載の滲み判定方法。
【請求項３】
請求項２に記載の滲み判定方法であって、さらに前記線分の予め設定された濃度の目標値と前記算出された濃度との差と、前記線分の予め設定された幅の目標値と前記算出された線分の幅との差と、前記ギザツキ度の各値に対して予め設定された所定の重み係数を用いて滲みを数値的に評価する評価値から滲みを判定することを特徴とする滲み判定方法。
【請求項４】
前記所定の重み係数を、前記記録するものがテキストか画像かあるいはその両方かを示す画質モードに応じて設定するようにしたことを特徴とする請求項２または３に記載の滲み判定方法。
【請求項５】
記録データに基づいてインクを記録媒体上に吐出して画像を記録する画像記録方法であって、
請求項１〜４のいずれか１項に記載の滲み判定方法による滲み判定結果に基いて、前記記録データを前記記録媒体に記録する記録速度、前記吐出されるインクの吐出量及び前記吐出されたインクを前記記録媒体に定着させる定着エネルギーのうち少なくとも１つを制御するための制御パラメータを設定して画像記録を行うことを特徴とする画像記録方法。
【請求項６】
請求項５に記載の画像記録方法であって、さらに、前記記録するものがテキストか画像かあるいはその両方かを示す画質モードに応じて前記制御パラメータを設定するようにしたことを特徴とする画像記録方法。
【請求項７】
記録媒体上に吐出されたインクの前記記録媒体への滲みを判定する滲み判定装置であって、
前記記録データを前記記録媒体に記録する記録速度、前記吐出されるインクの吐出量及び前記吐出されたインクを前記記録媒体に定着させる定着エネルギーをパラメータとして少なくとも一つを複数段階変化させて各インク色の所定長の線分を所定幅で記録した複数の滲み判定用パッチからなる滲み判定プリントを出力する滲み判定プリント出力手段と、  前記出力された滲み判定プリントの各滲み判定用パッチの濃度を測定する濃度測定手段と、
前記滲み判定用パッチの濃度測定結果に基いて前記インクの前記記録媒体への滲みを判定する滲み判定手段を有することを特徴とする滲み判定装置。
【請求項８】
前記濃度測定手段は、前記滲み判定用パッチを構成する各インク色の線分の濃度を該線分に対し略垂直方向に測定するとともに、前記滲み判定手段は、前記濃度測定結果から最高濃度、線分のエッジががたついている度合いを示すギザツキ度及び線分の幅を算出し、前記線分の予め設定された濃度の目標値と前記算出された濃度との差と、前記線分の予め設定された幅の目標値と前記算出された線分の幅との差と、前記ギザツキ度の各値に対して予め設定された所定の重み係数を用いて滲みを数値的に評価する評価値から滲みを判定することを特徴とする請求項７に記載の滲み判定装置。
【請求項９】
請求項８に記載の滲み判定装置であって、さらに、前記記録するものがテキストか画像かあるいはその両方かを示す画質モードを前記記録データに基づいて検出する画質モード検出手段を有し、前記滲み判定手段は、前記検出された前記画質モードに応じて前記重み係数を設定するようにしたことを特徴とする滲み判定装置。
【請求項１０】
記録データに基づいてインクを記録媒体上に吐出して画像を記録する画像記録装置であって、
請求項７〜９のいずれか１項に記載の滲み判定装置を有するとともに、
前記記録データを前記記録媒体に記録する記録速度を制御する記録速度制御手段と、
前記吐出されるインクの吐出量を制御する吐出量制御手段と、
前記吐出されたインクを前記記録媒体に定着させる定着エネルギーを制御する定着制御手段と、
前記滲み判定装置による滲み判定結果に基いて、前記記録速度制御手段、前記吐出量制御手段及び前記定着制御手段を制御する各制御パラメータを設定するパラメータ設定手段と、
前記設定された制御パラメータにより前記記録速度制御手段、前記吐出量制御手段及び前記定着制御手段のうち少なくとも１つを制御して画像記録を行う滲み防止制御手段を備えたことを特徴とする画像記録装置。
【請求項１１】
前記パラメータ設定手段は、前記画質モードに応じて前記制御パラメータを設定するようにしたことを特徴とする請求項１０に記載の画像記録装置。
【発明の詳細な説明】
【技術分野】
【０００１】
本発明は、滲み判定方法並びに画像記録方法及び装置に係り、特に多数のノズルから記録媒体に向けてインクを吐出して画像を記録する画像記録装置において、インクの滲みを判定し、滲みを防止して高画質な画像記録を行うための技術に関する。
【背景技術】
【０００２】
従来より、画像記録装置として、多数のノズルを配列させたインクジェットヘッド（インク吐出ヘッド）を有し、このインクジェットヘッドと記録媒体を相対的に移動させながら、ノズルからインクを吐出することにより、記録媒体上に画像を記録するインクジェット記録装置（インクジェットプリンタ）が知られている。
【０００３】
このようなインクジェット記録装置におけるインクの吐出方法として、従来から様々な方法が知られている。例えば、圧電素子（圧電セラミック）の変形によって圧力室（インク室）の一部を構成する振動板を変形させて、圧力室の容積を変化させ、圧力室の容積増大時にインク供給路から圧力室内にインクを導入し、圧力室の容積減少時に圧力室内のインクをノズルから液滴として吐出する圧電方式や、インクを加熱して気泡を発生させ、この気泡が成長する際の膨張エネルギーでインクを吐出させるサーマルインクジェット方式などが知られている。
【０００４】
インクジェット記録装置のようなインク吐出ヘッドを有する画像記録装置においては、インクを貯蔵するインクタンクからインク供給路を介してインク吐出ヘッドにインクを供給し、上記様々な吐出方法でインクを吐出しているが、インク種や記録媒体の種類によっては、インクドット（インク液滴）が記録媒体上に着弾後滲み、ドット形状がくずれて画像がボケたり、複数の異なる色のインクを用いてカラー画像を記録する場合に、先に記録したインクがまだ乾かないうちに、それと異なる色のインクを重ねて記録すると、色間での滲みや混色が発生して画質が低下するという問題がある。
【０００５】
そこで従来より、インクの滲みによる画像のボケや異なる色のインクを重ねて記録した場合に発生する色間滲み、混色を防止し、画質を向上させるための様々な方法が提案されている。
【０００６】
例えば、記録媒体を保持する回転体の１回転中に、各色用記録ヘッドから吹き付けられる各色インクドットが、記録媒体上の回転方向と同じ副走査方向に、少なくとも１ドット分だけ離れた状態で間引き記録されるようにして、隣接するインクドットの混ざりや流れを防止しつつ、高画質記録を行うようにしたものが知られている（例えば、特許文献１等参照）。
【０００７】
また例えば、インクジェット記録装置において、記録したインクの乾燥状態を推定する手段を有し、その推定結果に応じて、記録媒体の搬送速度を変えたり、記録ヘッドの間隔を変えることにより、前の記録と次の記録との記録間隔を変えるようにして、記録装置のスループットを維持しながら、異なるインクが重畳する部分の記録乱れを防止し、画像品位を向上させるようにしたものが知られている（例えば、特許文献２等参照）。
【０００８】
また例えば、カラーインクジェット記録方法において、同一印字領域に対しては、複数のヘッドのうち少なくとも１つのヘッドによる印字を、他のヘッドによる印字時点よりも、隣接ヘッドの印字遅れ時間よりも十分長い時間をおいた後、印字するようにして色間にじみのないカラープリントを得るようにしたものが知られている（例えば、特許文献３等参照）。
【特許文献１】特開２０００−７１４８１号公報
【特許文献２】特開平０３−２４７４５０号公報
【特許文献３】特開平０４−１７３２５０号公報
【発明の開示】
【発明が解決しようとする課題】
【０００９】
しかしながら、例えば、上記特許文献１に記載のものでは、記録媒体を保持した回転体が１回転する際に、１ドット間引いて記録しており、１画像全体を記録するのに複数回転しなければならず、生産性が低いという問題がある。
【００１０】
また、上記特許文献２に記載のものでは、乾燥を推定する手段と、ドット記録間隔を調整する手段を有し、乾燥状態に応じて次のドットを記録する間隔を調整するようにしているが、記録媒体に着弾したインクを乾燥させたり硬化させる手段は有しておらず、単に自然乾燥に任せているのみであり、必ずしも混色ボケや画像滲みを確実に防ぐことはできないという問題があった。
【００１１】
さらに、上記特許文献３に記載のものも、単に隣接ドット印字遅れ以上の時間を取るのみで、乾燥、硬化を調整する手段は有しておらず、上記特許文献２と同様の問題がある。
【００１２】
本発明は、このような事情に鑑みてなされたもので、記録媒体表面上でのインクの滲みを判定し、インクの滲みを防止して高速で高画質の画像記録を可能とする滲み判定方法並びに画像記録方法及び装置を提供することを目的とする。
【課題を解決するための手段】
【００１３】
前記目的を達成するために、請求項１に記載の発明は、記録媒体上に吐出されたインクの前記記録媒体への滲みを判定する滲み判定方法であって、前記記録データを前記記録媒体に記録する記録速度、前記吐出されるインクの吐出量及び前記吐出されたインクを前記記録媒体に定着させる定着エネルギーをパラメータとして少なくとも一つを複数段階変化させて各インク色の所定長の線分を所定幅で記録した複数の滲み判定用パッチからなる滲み判定プリントを出力し、前記出力された滲み判定プリントの各滲み判定用パッチの濃度を測定し、前記滲み判定用パッチの濃度測定結果に基いて前記インクの前記記録媒体への滲みを判定することを特徴とする滲み判定方法を提供する。
【００１４】
これによれば、インクの滲みを判定するために出力されたプリントの濃度を測定して滲みを判定するようにしたため、自動的に容易に滲みの判定をすることができる。
【００１５】
また、請求項２に示すように、前記滲み判定用パッチを構成する各インク色の線分の濃度を該線分に対し略垂直方向に測定し、最高濃度、線分のエッジががたついている度合いを示すギザツキ度及び線分の幅の各値とを用いて評価して滲みを判定することを特徴とする。また、請求項３に示すように、請求項２に記載の滲み判定方法であって、さらに前記線分の予め設定された濃度の目標値と前記算出された濃度との差と、前記線分の予め設定された幅の目標値と前記算出された線分の幅との差と、前記ギザツキ度の各値に対して予め設定された所定の重み係数を用いて滲みを数値的に評価する評価値から滲みを判定することを特徴とする。これにより、インクの滲みを数値的に判定することができ、滲み判定がより容易となる。なお、ここで用いる重み係数としては、後述する装置固有の第１の重み係数ａ1 、ａ2 、ａ3 とプリント時の品質に関わる第２の重み係数ｆ1 、ｆ2 、ｆ3 のどちらを用いても良い。
【００１６】
また、請求項４に示すように、前記所定の重み係数を、前記記録するものがテキストか画像かあるいはその両方かを示す画質モードに応じて設定するようにしたことが好ましい。このように画質モードに応じて滲み判定の要素を変更することで画像記録の目的に合わせた滲み判定が可能となる。
【００１７】
また、同様に前記目的を達成するために、請求項５に記載の発明は、記録データに基づいてインクを記録媒体上に吐出して画像を記録する画像記録方法であって、請求項１〜４のいずれか１項に記載の滲み判定方法による滲み判定結果に基いて、前記記録データを前記記録媒体に記録する記録速度、前記吐出されるインクの吐出量及び前記吐出されたインクを前記記録媒体に定着させる定着エネルギーのうち少なくとも１つを制御するための制御パラメータを設定して画像記録を行うことを特徴とする画像記録方法を提供する。これにより、滲みを回避した高画質の画像記録が可能となる。
【００１８】
また、請求項６に示すように、請求項５に記載の画像記録方法であって、さらに、前記記録するものがテキストか画像かあるいはその両方かを示す画質モードに応じて前記制御パラメータを設定するようにしたことを特徴とする。これにより、記録目的に応じた画像記録が可能となる。
【００１９】
また、同様に前記目的を達成するために、請求項７に記載の発明は、記録媒体上に吐出されたインクの前記記録媒体への滲みを判定する滲み判定装置であって、前記記録データを前記記録媒体に記録する記録速度、前記吐出されるインクの吐出量及び前記吐出されたインクを前記記録媒体に定着させる定着エネルギーをパラメータとして少なくとも一つを複数段階変化させて各インク色の所定長の線分を所定幅で記録した複数の滲み判定用パッチからなる滲み判定プリントを出力する滲み判定プリント出力手段と、前記出力された滲み判定プリントの各滲み判定用パッチの濃度を測定する濃度測定手段と、前記滲み判定用パッチの濃度測定結果に基いて前記インクの前記記録媒体への滲みを判定する滲み判定手段を有することを特徴とする滲み判定装置を提供する。
【００２０】
また、請求項８に示すように、前記濃度測定手段は、前記滲み判定用パッチを構成する各インク色の線分の濃度を該線分に対し略垂直方向に測定するとともに、前記滲み判定手段は、前記濃度測定結果から最高濃度、線分のエッジががたついている度合いを示すギザツキ度及び線分の幅を算出し、前記線分の予め設定された濃度の目標値と前記算出された濃度との差と、前記線分の予め設定された幅の目標値と前記算出された線分の幅との差と、前記ギザツキ度の各値に対して予め設定された所定の重み係数を用いて滲みを数値的に評価する評価値から滲みを判定することを特徴とする。
【００２１】
さらに、請求項９に示すように、請求項８に記載の滲み判定装置であって、さらに、前記記録するものがテキストか画像かあるいはその両方かを示す画質モードを前記記録データに基づいて検出する画質モード検出手段を有し、前記滲み判定手段は、前記検出された前記画質モードに応じて前記重み係数を設定するようにしたことが好ましい。
【００２２】
このように、具体的手段により前記滲み判定方法が実行され滲みを判定することにより、滲みを回避することが可能となる。
【００２３】
また、同様に前記目的を達成するために、請求項１０に記載の発明は、記録データに基づいてインクを記録媒体上に吐出して画像を記録する画像記録装置であって、請求項７〜９のいずれか１項に記載の滲み判定装置を有するとともに、前記記録データを前記記録媒体に記録する記録速度を制御する記録速度制御手段と、前記吐出されるインクの吐出量を制御する吐出量制御手段と、前記吐出されたインクを前記記録媒体に定着させる定着エネルギーを制御する定着制御手段と、前記滲み判定装置による滲み判定結果に基いて、前記記録速度制御手段、前記吐出量制御手段及び前記定着制御手段を制御する各制御パラメータを設定するパラメータ設定手段と、前記設定された制御パラメータにより前記記録速度制御手段、前記吐出量制御手段及び前記定着制御手段のうち少なくとも１つを制御して画像記録を行う滲み防止制御手段を備えたことを特徴とする画像記録装置を提供する。
【００２４】
また、請求項１１に示すように、前記パラメータ設定手段は、前記画質モードに応じて前記制御パラメータを設定するようにしたことが好ましい。
【００２５】
このように滲み判定装置を備えた画像記録装置により、滲みを回避した高画質な画像記録が可能となる。
【発明の効果】
【００２６】
以上説明したように、本発明に係る滲み判定方法並びに画像記録方法及び装置によれば、記録媒体上でのインクの滲みを容易に判定することができ、その判定結果を用いて各種制御手段を制御して画像記録することにより、滲みを回避した高画質の画像記録を実現することが可能となる。
【発明を実施するための最良の形態】
【００２７】
以下、添付した図面を参照して、本発明に係る滲み判定方法並びに画像記録方法及び装置について詳細に説明する。
【００２８】
図１は、本発明の第１実施形態に係るインクジェット記録装置の概略を示す一部ブロック図を含む概略構成図である。
【００２９】
図１に示すように、インクジェット記録装置１０は、主に、インクの色（イエロー（Ｙ）、シアン（Ｃ）、マゼンタ（Ｍ）、黒（Ｋ））毎に設けられた複数の印字ヘッド１２Ｙ、１２Ｃ、１２Ｍ、１２Ｋと、これらの印字ヘッド１２Ｙ、１２Ｃ、１２Ｍ、１２Ｋの駆動制御を行うヘッドドライバ１３と、給紙部１４から記録媒体である記録紙１６を印字ヘッド１２Ｙ等へ搬送する搬送部１８と、記録紙１６上に吐出されたインクを定着させる定着手段２０等を有して構成される。        
【００３０】
記録紙１６は、図１に示したものでは、給紙部１４のマガジン２２に装填されたロール紙（連続用紙）をカッター２３で所定長に切断して用いるようにしているが、紙幅や紙質等が異なる複数のマガジンを併設してもよい。また、ロール紙のマガジンに代えて、又はこれと併用して、カット紙が積層装填されたカセットによって用紙を供給してもよい。
【００３１】
ロール紙を使用する装置構成の場合、図１のように、裁断用のカッター２３が設けられており、該カッター２３によってロール紙は所望のサイズにカットされる。なお、カット紙を使用する場合には、カッター２３は不要である。
【００３２】
また、本実施形態においては、紙の種類情報を記録したバーコードあるいは無線タグ等の情報記録体がマガジン２２の媒体種検出ノッチ２２ａに取り付けられており、その情報記録体の情報を読み取るための媒体種検出手段２４が設置されている。後述するように、媒体種検出手段２４によって読み取られた情報を用いて、その記録媒体に最適な制御パラメータが設定されて画像記録が行われる。
【００３３】
マガジン２２から送り出される記録紙１６は、マガジン２２に装填されていたことによる巻き癖が残り、カールする。図示は省略したが、このカールを除去するために、デカール処理部を設けてマガジンの巻き癖方向と逆方向に加熱ドラム等で記録紙１６に熱を与え、多少印字面が外側に弱いカールとなるように加熱温度を制御するとより好ましい。
【００３４】
搬送部１８は、ローラ２６、２７間に無端状のベルト２９が巻き掛けられた構造を有し、少なくとも印字ヘッド１２Ｋ等のノズル面に対向する部分が平面（フラット面）をなすように構成されている。
【００３５】
ベルト２９は、記録紙１６の幅よりも広い幅寸法を有しており、ベルト面には多数の吸引孔（図示省略）が形成されている。図１に示したように、２つのローラ２６、２７の間に掛け渡されたベルト２９の内側において、印字ヘッド１２Ｙ、１２Ｃ、１２Ｍ、１２Ｋのノズル面に対向する位置には吸着チャンバ３０が設けられており、この吸着チャンバ３０をファン３２で吸引して負圧にすることによって、ベルト２９上の記録紙１６が吸着保持される。
【００３６】
ベルト２９が巻かれているローラ２６、２７の少なくとも一方、例えば左のローラ２６にモータ２８の動力が伝達されることにより、ベルト２９は、図１において反時計回りに駆動され、ベルト２９上に保持された記録紙１６は図１の右から左へと（相対的）搬送速度Ｖで搬送されるようになっている。
【００３７】
図２に、印字ヘッド１２Ｙ、１２Ｃ、１２Ｍ、１２Ｋ付近を拡大した平面図を示す。図２に示すように、印字ヘッド１２Ｙ、１２Ｃ、１２Ｍ、１２Ｋは、各色（ＹＭＣＫ）に対応し、それぞれが複数のノズルを有し、記録紙１６の全幅を担うように、各印字ヘッド１２Ｙ、１２Ｃ、１２Ｍ、１２Ｋの長手方向を記録紙１６の搬送方向と直交する紙幅方向に並べた構成で、最大紙幅に対応する長さを有するフルライン型ヘッドとなっている。
【００３８】
ここで記述のフルライン型ヘッドは、短尺の記録ヘッドを用紙幅に複数並べた形式のものも含むものとする。
【００３９】
また、各印字ヘッド１２Ｙ、１２Ｃ、１２Ｍ、１２Ｋの間にはやはり記録紙１６の全幅に対応する長さを有する定着手段２０がそれぞれ配置されている。
【００４０】
記録紙１６の搬送方向（図の右から左方向）に沿って上流側からＹ（イエロー）、Ｃ（シアン）、Ｍ（マゼンタ）、Ｋ（黒）の順に各色インクに対応した印字ヘッド１２Ｙ、１２Ｃ、１２Ｍ、１２Ｋが配置されている。記録紙１６を搬送部１８によって搬送しつつ各印字ヘッド１２Ｙ、１２Ｃ、１２Ｍ、１２Ｋからそれぞれ色インクを吐出することにより記録紙１６上にカラー画像を形成することができる。
【００４１】
なお、印字ヘッド１２Ｙ、１２Ｃ、１２Ｍ、１２Ｋはヘッドドライバ１３によって駆動され、吐出されるインクの吐出量や吐出タイミング等が制御される。
【００４２】
このように、紙幅の全域をカバーするフルラインヘッドがインク色毎に設けられてなる印字ヘッド１２Ｙ、１２Ｃ、１２Ｍ、１２Ｋによれば、紙搬送方向について記録紙１６と印字ヘッド１２Ｙ、１２Ｃ、１２Ｍ、１２Ｋを相対的に移動させる動作を一回行うだけで（すなわち、一回の走査で）記録紙１６の全面に画像を高速で記録することができる。
【００４３】
しかし、本発明は、ライン型ヘッドに限定されるものではなく、印字ヘッドが紙搬送方向と直交する方向（紙幅方向）に往復運動をするシャトル型ヘッドに対しても適用可能である。
【００４４】
なお、本例では、ＹＣＭＫの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出する印字ヘッドを追加する構成も可能である。
【００４５】
また、各印字ヘッド１２Ｙ、１２Ｃ、１２Ｍ、１２Ｋに各色のインクを供給するインクタンク（図示せず）近傍には、インクの種類を検出するインク種検出手段２５が設けられている。インク種検出手段２５は、特に限定されるものではなく、例えば、カートリッジ式のインクタンクの場合、カートリッジに取り付けられた情報媒体等からインク種を示すＩＤを読み取るような構成でもよい。
【００４６】
定着手段２０は、印字ヘッド１２Ｙ、１２Ｃ、１２Ｍ、１２Ｋから記録紙１６上に吐出されたインクに対し、定着エネルギーを付与してインクを記録紙１６に定着させるものであり、使用されるインクに応じて好適な手段が用いられる。
【００４７】
なお、ここで定着というのは、記録紙１６上に着弾したインクの紙の繊維内への浸透及び表面からのインクの乾燥あるいはインクの硬化により記録紙表面上にインク液滴が存在しなくなってインクが動かなくなり固定されることを言う。乾燥としては、例えば、水系のインクの場合には、乾燥エネルギーとして熱エネルギーを付与してインクの溶媒である水を蒸発させて乾燥させる場合が挙げられる。定着手段２０として乾燥手段を用いる場合には、例えばヒーター等、あるいは赤外線照射手段、または風（熱風）を吹き付けるファン（熱風ファン）などが例示され、これらの手段は単独で用いても良いし、複数を組み合わせて用いてもよい。
【００４８】
また、インクを記録紙１６上で硬化させて固定させる方法としては、硬化型のインクを用いて、これに重合反応を起こさせて硬化させる方法が考えられる。例えばＵＶ硬化インクあるいは一般に電磁輻射線硬化インクを用いて、これに電磁輻射線あるいは電子線を照射して、さらには熱エネルギーを付与してインクを硬化させて記録紙１６上に固定するようにしてもよい。この場合、例えば硬化型インクとしてＵＶキュアインクやソリッドインクのようなマトリクス硬化型インクを用いることができ、ＵＶキュアインクの場合には、例えばＵＶ光照射手段、ハロゲンランプ、ＬＥＤレーザ等が例示され、またソリッドインクの場合には、ペルチェ等または水冷あるいはファン等の冷却手段が例示される。
【００４９】
また、ワックスインク（蝋）のように熱によって相転移するものについては、例えばヘッド内では熱エネルギーを付与してインクを液状としておき、記録媒体上に吐出されると冷却により固化させることができる。またあるいは、ゾルゲル状のインクの場合にも、同様に熱エネルギーにより吐出と定着を制御することができる。
【００５０】
定着手段２０は、図１に示すように４つの印字ヘッド１２Ｙ、１２Ｃ、１２Ｍ、１２Ｋのそれぞれの後段に設置され、各印字ヘッドから吐出されたインクを定着させてインクが滲んだり、次の印字ヘッドからその近傍にインクが吐出されても各インクが混色しないようにするものである。
【００５１】
本実施形態は、記録紙１６のインクジェットヘッド（印字ヘッド１２Ｙ等）に対する相対搬送速度、インク吐出量及び記録紙１６に着弾したインクを定着させるための定着エネルギーのうち少なくとも１つを可変制御することにより、記録紙１６に着弾したインクの滲みを防止して高品質の画像記録を行うようにするものである。
【００５２】
このような滲み防止制御を実行するために、本実施形態のインクジェット記録装置１０は、以上述べたものの他に、インクの吐出量を制御する吐出量制御手段としてのヘッドドライバ１３の他に、記録紙１６の相対搬送速度を制御する搬送制御手段３６、インクを定着させるための定着手段２０の定着エネルギーを制御する定着制御手段３８、及び吐出量制御手段（ヘッドドライバ１３）、搬送制御手段３６及び定着制御手段３８というこれら３つの制御手段のうち少なくとも１つを可変制御することによりインクの滲みを防止する滲み防止制御手段４０を有している。
【００５３】
また、相対搬送速度を制御するために相対搬送速度を検出するエンコーダ４１がローラ２６に設置されている。さらに、インクジェット記録装置１０は、相対搬送速度を制御するようにした場合には、記録画像が所定のドットピッチの画像となるように各印字ヘッド（１２Ｙ等）の吐出周波数を制御する周波数制御手段４２を有している。
【００５４】
また、本実施形態のインクジェット記録装置１０は、詳しくは後述するが、インクの滲みを防止し、高画質の画像記録を行うために、インクの滲みを検出判定するために用いられる滲み判定プリントを出力する滲み判定プリント出力手段４４、及び出力された滲み判定プリントを濃度測定する濃度計４５、その測定結果からインクの滲みを判定する滲み判定手段４８及び滲み判定の結果に基いて各制御量の最適値を制御パラメータとして設定するためのパラメータ設定手段４６を有している。
【００５５】
吐出量制御手段としてのヘッドドライバ１３は、各印字ヘッド１２Ｙ、１２Ｃ、１２Ｍ、１２Ｋから記録紙１６へ吐出されるインクの吐出量を制御するものであり、例えば、図示は省略するが、インク室内のインク内圧やインク室を変形させるアクチュエータ（圧電素子）の駆動量等を制御することによりインク吐出量を制御する。インク吐出量を制御することにより、吐出されたインク液滴の大きさ、すなわち記録紙１６表面に着弾するインク粒径を制御することができる。
【００５６】
搬送制御手段３６は、ロータリエンコーダ４１の検出信号に基いて、モータ２８の回転数を制御するものである。このとき、パラメータで最適な相対搬送速度が設定されている場合には、記録紙１６の相対搬送速度がその速度となるように、モータ２８の回転を制御する。
【００５７】
定着制御手段３８は、このようにインク種及び媒体種（記録紙１６の種類）に応じてそのエネルギーを制御しつつ、それぞれ記録紙１６上に着弾したインクに対して、熱エネルギー等の定着エネルギーを付与してインクを定着させることによって滲みを防止するものである。
【００５８】
滲み防止制御手段４０は、吐出量制御手段としてのヘッドドライバ１３、搬送制御手段３６、定着制御手段３８のうち少なくとも１つを制御することによりインクの滲みを防止するものである。具体的な制御方法は、後述するようにパラメータ設定手段４６によってそれぞれ最適な制御量として設定されるパラメータに応じて各制御手段を制御することによって行われる。
【００５９】
また、周波数制御手段４２は、記録紙１６の相対的搬送速度が変更された場合に、それに合わせて各印字ヘッド１２Ｙ、１２Ｃ、１２Ｍ、１２Ｋからのインク吐出タイミングを制御して、記録画像が所定のドットピッチの画像となるようにするものである。
【００６０】
図３は、インクジェット記録装置１０のシステム構成を示す要部ブロック図である。インクジェット記録装置１０は、通信インターフェース５０、システムコントローラ５２、画像メモリ５４、モータドライバ５６、ヒータドライバ５８、プリント制御部６０、画像バッファメモリ６２、ヘッドドライバ１３等を備えている。
【００６１】
通信インターフェース５０は、ホストコンピュータ６４から送られてくる画像データ（記録データ）を受信するインターフェース部である。通信インターフェース５０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（図示省略）を搭載してもよい。ホストコンピュータ６４から送出された画像データは通信インターフェース５０を介してインクジェット記録装置１０に取り込まれ、一旦画像メモリ５４に記憶される。画像メモリ５４は、半導体素子からなるメモリに限らず、ハードディスクなど磁気媒体を用いてもよい。
【００６２】
システムコントローラ５２は、通信インターフェース５０、画像メモリ５４、モータドライバ５６、ヒータドライバ５８等の各部を制御する制御部である。システムコントローラ５２は、中央演算処理装置（ＣＰＵ）及びその周辺回路等から構成され、ホストコンピュータ６４との間の通信制御、画像メモリ５４の読み書き制御等を行うとともに、搬送系のモータ２８やヒータ５９を制御する制御信号を生成する。
【００６３】
モータドライバ５６は、システムコントローラ５２からの指示にしたがってモータ２８を駆動するドライバ（駆動回路）である。ヒータドライバ５８は、システムコントローラ５２からの指示にしたがって印字後の記録紙１６を乾燥させる後乾燥部（図示省略）等のヒータ５９を駆動するドライバである。
【００６４】
プリント制御部６０は、システムコントローラ５２の制御に従い、画像メモリ５４内の画像データから印字制御用の信号を生成するための各種加工、補正などの処理を行う信号処理機能を有し、生成した印字制御信号（印字データ）をヘッドドライバ１３に供給する制御部である。プリント制御部６０において所要の信号処理が施され、該画像データに基いてヘッドドライバ１３（吐出量制御手段）を介して印字ヘッド１２Ｙ、１２Ｃ、１２Ｍ、１２Ｋのインク液滴の吐出量や吐出タイミングの制御が行われる。これにより、所望のドットサイズやドット配置が実現される。
【００６５】
プリント制御部６０には画像バッファメモリ６２が備えられており、プリント制御部６０における画像データ処理時に画像データやパラメータなどのデータが画像バッファメモリ６２に一時的に格納される。なお、図３において、画像バッファメモリ６２はプリント制御部６０に付随する態様で示されているが、画像メモリ５４と兼用することも可能である。また、プリント制御部６０とシステムコントローラ５２とを統合して一つのプロセッサで構成する態様も可能である。
【００６６】
ヘッドドライバ１３はプリント制御部６０から与えられる印字データに基いて各色の印字ヘッド１２Ｋ、１２Ｃ、１２Ｍ、１２Ｙのアクチュエータを駆動する。ヘッドドライバ１３にはヘッドの駆動条件を一定に保つためのフィードバック制御系を含んでもよい。
【００６７】
また、本実施形態におけるインクジェット記録装置１０は、この他に滲み回避制御のための手段として記録紙１６の相対的搬送速度Ｖを制御する搬送制御手段３６、定着手段２０の定着エネルギーを制御する定着制御手段３８、相対的搬送速度Ｖが変更された場合にそれに応じてインク吐出周波数を制御する周波数制御手段４２、各制御手段を制御するための制御パラメータを設定するパラメータ設定手段４６、滲み判定プリントを出力する滲み判定プリント出力手段４４、出力された滲み判定プリントの濃度を測定する濃度計４５及び濃度測定結果を受け取って滲みの判定を行う滲み判定手段４８等を有している。
【００６８】
また、パラメータ設定手段４６には媒体種検出手段２４によって検出された媒体種及びインク種検出手段２５によって検出されたインク種等が入力されるようになっている。パラメータ設定手段４６は、詳しくは後述するが、滲みを回避するために各制御手段を制御する制御パラメータを、これらの媒体種及びインク種と対応付けて設定し、かつ記憶する。また、滲み判定プリント出力手段４４は、滲み判定プリントを構成する滲み判定用パッチのデータを形成してヘッドドライバ１３を通じて印字ヘッド１２Ｙ、１２Ｃ、１２Ｍ、１２Ｋへ送り、滲み判定プリントとして出力するものである。滲み判定プリント出力手段４４は、この滲み判定用パッチのデータをそのつど生成するのではなく、メモリから呼び出して用いるようにしてもよい。
【００６９】
また、周波数制御手段４２及び滲み判定プリント出力手段４４は、プリント制御部６０内に設けられ、システムコントローラ５２によって制御されるようになっている。
【００７０】
さらに、システムコントローラ５２には、パラメータ設定手段４６によって設定された制御パラメータによって各制御手段を制御して滲みを回避する滲み防止制御手段４０が設けられている。
【００７１】
次に、インクの滲みを回避する方法の原理について図を用いて説明する。図４は、記録媒体（記録紙１６）が浸透系の場合、図５は、記録媒体が非浸透系の場合を示す。なお、浸透系の記録媒体とは、インクを記録媒体内の受像層内に浸透させることによってインクを定着させるものであり、普通紙、コピー紙、更紙その他をいい、非浸透系の記録媒体とは、印刷用のアート紙、塗工紙その他のインク溶媒が記録媒体中に浸透し難いものを言い、主として記録媒体表面上でインクを固化（硬化）させて定着する。
【００７２】
またここで、滲みとは、記録媒体（記録紙１６）が浸透系の場合は、図４（ａ）または（ｃ）に示すように、印字ヘッド（１２Ｙ等）から吐出され記録媒体に着弾したインク６６のドット径ｄに対して、その径ｄより大きな径となるように記録媒体に浸透して広がった部分（ｄ１及びｄ２）をいい、また記録媒体が非浸透系の場合は、図５（ａ）または（ｃ）に示すように、印字ヘッド（１２Ｙ等）から吐出され記録媒体に着弾したインク６６のドット径ｄに対して、その径ｄより大きく記録媒体上で広がる部分（ｄ７またはｄ８）を言う。
【００７３】
特に記録媒体が浸透系の場合で、浸透するインクが記録媒体の繊維に沿って放射状に拡がる滲みをフェザーリングと言うことがある。
【００７４】
まず、記録媒体（記録紙１６）が浸透系の場合、図４（ａ）または（ｃ）に示すように、記録紙１６に着弾したインク６６は、記録紙１６に浸透して広がり、媒体浸透圧による滲み（ｄ１、ｄ２）が発生する。
【００７５】
そこで、インク６６が水系インク、油性インクその他の溶媒系のインクの場合には、熱エネルギー等の乾燥エネルギー（定着エネルギー）を付与して溶媒を乾燥させ、図４（ｂ）に示すように記録紙１６への浸透による滲み（ｄ３、ｄ４）を低減させるようにする。
【００７６】
また、インク５４がＵＶキュアインク、ソリッドインク、ＥＢキュアインクその他のマトリクス硬化型インクの場合には、硬化エネルギー（定着エネルギー）を付与してインク５４を硬化、増粘させ、図４（ｄ）に示すように、滲み（ｄ５、ｄ６）を低減させるようにする。
【００７７】
次に、記録媒体（記録紙１６）が非浸透系の場合、図５（ａ）または（ｃ）に示すように、記録紙１６に着弾したインク６６は、記録紙１６には浸透せずに記録紙１６上で表面エネルギーによって広がり、滲み（ｄ７、ｄ８）が発生する。
【００７８】
そこで、インク６６が水系、油性、その他の溶媒系のインクの場合には、熱エネルギー等の乾燥エネルギー（定着エネルギー）を付与して、溶媒を蒸発させインク６６の広がりを回避して滲み（ｄ９、ｄ１０）を低減するようにする。
【００７９】
また、インク６６がＵＶキュアインク、ソリッドインク、ＥＢキュアインクその他のマトリクス硬化型インクの場合には、硬化エネルギー（定着エネルギー）を付与して、インク６６を硬化、増粘させて、図５（ｄ）に示すようにインク６６の広がりを抑えて、滲み（ｄ１１、ｄ１２）を低減させるようにする。
【００８０】
また、インクの滲みを回避する方法として、このように記録紙１６上に着弾したインク６６に対して、乾燥エネルギー、硬化エネルギーを付与してインク６６の広がりを抑える方法の他に、吐出されるインクの粒径を小さくする方法も考えられる。これは、吐出されるインクの粒径を小さくすることにより、溶媒系のインクの場合には、溶媒除去量を少なくすることによりインクの記録紙１６への滲みを低減するとともに、マトリクス硬化型インクの場合には、インクの粒径を小さくすることで記録紙１６でのインク着弾厚さを小さくして、硬化反応速度を速くするようにしてインクドットの形状が広がるのを防ぎ、滲みを低減するようにするものである。
【００８１】
次に、インク滲み防止のための最適なパラメータを設定する方法について説明する。
【００８２】
そのために、まずインクの滲み検出判定用のパターン（滲み判定プリント）が作成される。この滲み判定プリントは、条件の違いによってインクがどのように滲むかを判定するためのものであり、各印字ヘッド１２Ｙ、１２Ｍ、１２Ｃ、１２Ｋから記録紙１６に向けて、インク吐出量（インク粒径φ）、相対的搬送速度Ｖ及び定着エネルギーＥを変えてインクを吐出して作成される。
【００８３】
図６に、滲み検出判定用のパターン（滲み判定プリント）の例を示す。図６に示すように、滲み判定プリント６８は、インク粒径を大φHiと小φLow の２段階、相対搬送速度Ｖ及び定着エネルギーＥをそれぞれ、高位ｍａｘ、中位ｍｉｄ、低位ｌｏｗの３段階に変化させて各インクの色毎に所定長のライン（線分）７０を記録したものにより構成されている。また、滲み判定プリント６８は、ここに示したものには限定されず、他のパラメータ、例えば印字環境温度や湿度あるいはその他のインクの滲みに関係するファクターを含むようにしてもよい。
【００８４】
各ライン７０は、図７（ａ）に拡大して示したように、１列のドット列で形成してもよいし、複数列のドット列で１つのライン７０を形成するようにしてもよい。図７（ａ）に示す例では、このようなライン７０が各色毎に１８個ずつ記録されて滲み判定プリント６８が形成されている。
【００８５】
滲み判定プリント６８は、濃度計４５によって、各ライン７０を図７（ｂ）に示すように、ライン７０に略垂直な方向にＮ回（少なくとも１０回以上）濃度測定される。また、このときの走査分解能は、数μｍ〜十数μｍステップとする。
【００８６】
図８に濃度測定の原理を示す。例えば図８（ａ）に示すような構成により、ＲＧＢ発光素子９０から射出された微小スポット光９１を媒体９２上の測定ポイントに当てて、その反射光をＣＣＤ素子等の受光素子９３で受光することによって微小部分における濃度測定を行うことができる。このときＲＧＢ発光素子としては、例えばＲＧＢ発光ダイオードハロゲンランプにフィルタを組み合わせたもの等が考えられる。または、例えば図８（ｂ）に示すように、ＲＧＢ発光素子９４から射出されたエリア光９５を媒体９２の測定ポイントに当てて、その反射光をレンズ９６でエリアＣＣＤ９７上に集光して測定するようにしてもよい。
【００８７】
図９に（１回の）測定結果を示す。図９において、横軸は距離、縦軸は濃度である。この濃度測定結果は、濃度計４５から滲み判定手段４８に送られる。滲み判定手段４８は、最高濃度ＤMAX からの濃度が、最高濃度ＤMAX と最低濃度ＤMIN との差の６０％、すなわち０．６×（ＤMAX −ＤMIN ）となるような距離Ａを、この測定したライン７０のライン幅Ａとし、Ｎ回測定した各ライン幅Ａの平均値E(Ａ) を算出する。
【００８８】
また、滲み判定手段４８は、次のようにして各ライン７０の濃度測定結果から各ライン７０のギザツキ度を算出する。ギザツキ（ｒａｇｇｅｄｎｅｓｓ）とは、本来スムーズで真っ直ぐであるべき線や文字のエッジががたついていることをいい、ギザツキ度とは、そのがたつきの度合いを数値的に評価したものである。
【００８９】
図７（ｂ）に示すように、各ライン７０の幅を測定することにより、図１１に示すような濃度測定データが得られる。これより、実際のエッジ位置を示す幅Ｂを算出するとともに、図１０に一点鎖線で示すような平均のエッジ位置を示すフィッティング直線Ｆ１、Ｆ２を求め、このフィッティング直線Ｆ１、Ｆ２間の距離E(Ｂ) を算出する。測定場所を変えてＮ回測定して得られる、実際のエッジ位置を示す幅Ｂと、このフィッティング直線位置を示す平均的な幅E(Ｂ) との差Ｂ−E(Ｂ) の標準偏差σB-E(B)をギザツキ度という。
【００９０】
このようにして、各ライン７０を測定して得られた最高濃度ＤMAX 、及び測定値から算出されたライン幅の平均値E(Ａ) 、ギザツキ度σB-E(B)と、予め設定された濃度目標値Ｄ0 、ライン幅目標値ＡB に対して、図１２に示すように２種類の重み係数、すなわち、装置に固有の第１の重み係数ａ1 、ａ2 、ａ3 と、プリント時の品質に関わる第２の重み係数ｆ1 、ｆ2 、ｆ3 を設定する。
【００９１】
例えば、図７（ａ）に示すような１ドット列からなるライン７０の場合、測定結果及び算出値が、最高濃度ＤMAX １〜２、ライン幅平均値E(Ａ) が３０〜６０μｍ、ギザツキ度σB-E(B)が９〜１８μｍのとき、第１の重み係数ａ1 は略１、ａ2 は略２０、ａ3 は略５０とされる。このように第１の重み係数は、最高濃度ＤMAX 、ライン幅平均値E(Ａ) 、ギザツキ度σB-E(B)の装置固有の特性で決まる３個の物理量のバランスを調整するものである。
【００９２】
また、第２の重み係数ｆ1 、ｆ2 、ｆ3 は、例えば図１３に示すように、文字データのみを記録するテキストモード、画像のみを記録する画像モード及びテキストと画像の組み合わせモードの各画質モードに応じて、決定される。例えば、テキストモードの場合には、文字がはっきりと読み取れるようにエッジをくっきりだすために、濃度よりも線幅やギザツキを重視して、濃度に対する重みｆ1 ＝１よりも、ライン幅及びギザツキに対する重みｆ2 ＝３、ｆ3 ＝３を大きな値となるようにする。
【００９３】
このように第２の重み係数は、記録する画像の品質要求に対して、最高濃度ＤMAX 、ライン幅平均値E(Ａ) 、ギザツキ度σB-E(B)の３個の物理量のバランスを調整するものである。
【００９４】
そして、インクの滲みを、これらの値を用いて次の式（１）で与えられる判定関数により判定する。
【００９５】
滲み判定関数  ＝  ｜Ｄ0 −ＤMAX ｜×ａ1 ｆ1 ＋｜ＡB −E(Ａ) ｜×ａ2 ｆ2 
＋σB-E(B)×ａ3 ｆ3     ・・・（１）
滲み判定手段４８は、濃度計４５の測定結果を用いてこの滲み判定関数により記録紙１６に対するインクの滲みを検出する。また、パラメータ設定手段４６は、この滲み判定結果によって、記録紙１６の種類及びインク種毎に、相対搬送速度、インク吐出量（インク粒径）、定着エネルギーという各制御量について、滲みを抑制するのに最適なパラメータを設定し、所定のメモリに記憶しておく。
【００９６】
またこのとき、図１４に示すように、限定オプションとして、画質モードの特質に合わせて制御可変なパラメータを限定するようにしてもよい。例えば、図１４に示すように、テキストモードの場合には、搬送速度を最大ＶMax とし、インク粒径を最大φHiとして、定着エネルギーを可変にして、最適な定着エネルギーを選択するようにしてもよい。
【００９７】
以下、本実施形態の作用を図１５のフローチャートに沿って説明する。
【００９８】
まず、図１５のステップＳ１００において、インクジェット記録装置１０に記録紙１６を供給するためのマガジン２２を装填する。前述したように、マガジン２２には、装填されている記録紙１６の種類等の情報が記録された情報記録体が媒体種検出ノッチ２２ａに取り付けられており、この情報を媒体種検出手段２４で読み取る。媒体種検出手段２４によって読み取られた情報は、パラメータ設定手段４６に送られる。一方で、インク種検出手段２５によりインクの種類が検出され、検出されたインク種の情報は同様にパラメータ設定手段４６に送られる。
【００９９】
次のステップＳ１１０において、パラメータ設定手段４６は、送られた媒体種情報等に対応する最適パラメータがすでに設定され、所定のメモリに記憶されているか否か判断する。その媒体種等に対応する最適なパラメータが存在する場合には、ステップＳ１２０へ進み、滲み防止制御手段４０は、所定のメモリに記憶されている相対搬送速度、定着エネルギー等の最適パラメータを呼び出して、それぞれヘッドドライバ１３（吐出量制御手段）、搬送制御手段３６、定着制御手段３８に設定する。
【０１００】
一方、検出された媒体種等に対応する最適なパラメータが存在しない場合には、最適なパラメータを設定するためのインク滲み判定プリントを作成するためにステップＳ１３０に進む。なお、マガジン２２に情報記録体が取り付けられていない場合や、取り付けられていても媒体種検出手段２４で読み取れなかった場合には、例えば、ダミーの媒体種をパラメータ設定手段４６に送り、対応する最適パラメータが存在しないとして、同様にステップＳ１３０へ進むようにする。
【０１０１】
ステップＳ１３０においては、前述したような方法で、図６に示すような滲み判定プリント６８を作成する。すなわち、インク粒径φ（インク吐出量）、相対搬送速度Ｖ、定着エネルギーＥ（硬化エネルギー、乾燥エネルギー）を変えて、各印字ヘッド１２Ｙ、１２Ｍ、１２Ｃ、１２Ｋから記録紙１６に各色のインクを吐出して、所定長、所定幅のライン７０を記録して、図６に示すような滲み判定プリント６８を作成する。
【０１０２】
次に、ステップＳ１４０において、濃度計４５で滲み判定プリント６８の各ライン７０を、図７（ｂ）に示すように、各ライン７０に略垂直な方向に複数回濃度測定を行い、図１１に示すような濃度プロフィールを取得する。この測定は、走査分解能を数μｍから十数μｍの間隔として、所定回数（少なくとも１０回以上）行う。測定した濃度プロフィールは、滲み判定手段４８に送られる。
【０１０３】
次に、ステップＳ１５０において、滲み判定手段４８は、濃度計４５から受け取った各ライン７０の濃度プロファイルからライン幅E(Ａ) 、ギザツキ度σB-E(B)等を算出し、これらと濃度の目標値Ｄ0 、ライン幅の目標値ＡB 及び第１の重み係数ａ1 、ａ2 、ａ3 、第２の重み係数ｆ1 、ｆ2 、ｆ3 を組み合わせて、式（１）で表されている滲み判定関数に代入して、滲みの判定を行う。
【０１０４】
次に、ステップＳ１６０において、パラメータ設定手段４６は、滲みを数値的に評価する滲み判定関数の値がもっとも小さくなるような、滲み防止に最適なパラメータを設定し、所定のメモリに記憶しておく。
【０１０５】
具体的には、滲み判定関数の値が小さくなるような滲み判定用のパターンを特定し（図６からパッチを特定し）、最適なパラメータとして、吐出量、搬送速度、定着エネルギーを設定する。
【０１０６】
そして、ステップＳ１７０において、これらの最適パラメータを用いて、滲み防止制御手段４０により、ヘッドドライバ１３（吐出量制御手段）、搬送制御手段３６、定着制御手段３８等の少なくとも１つ以上を制御して、画像記録（プリント）が行われる。また、ステップＳ１１０において、最適パラメータが存在するとしてステップＳ１２０でこの最適パラメータを設定した場合も、このステップＳ１７０でプリントが行われる。
【０１０７】
なお、相対搬送速度を制御する場合には、周波数制御手段４２により、記録紙１６の相対搬送速度の変更に合わせて各印字ヘッド１２Ｙ、１２Ｃ、１２Ｍ、１２Ｋからのインク吐出タイミングを制御して、記録画像が所定のドットピッチの画像となるようにする。またこれにより、インクの定着条件により記録速度を可変として高密度の記録を行うことが可能となる。
【０１０８】
このように、本実施形態によれば、予め記録媒体及びインクの種類に応じて、インクの滲みを回避するための最適な制御パラメータを設定しておくことにより、インクジェット記録装置に装填される記録媒体の種類等を検出するのみで、その制御パラメータを用いてプリントすることにより、容易にインクの滲みを防止し、媒体毎にインク乾燥、硬化を最適に制御して、最適な条件でプリントすることができる。また、インクの定着エネルギー量と相対搬送速度を可変とすることにより、各種媒体に対応して、滲みを低減したプリントを作成することが可能となる。
【０１０９】
また、記録媒体の種類を検出できない場合や、その記録媒体に対応する最適な制御パラメータが設定されていない場合でも、滲み判定プリントを作成して、この濃度を測定して滲みを判定することにより最適な制御パラメータを設定することによって、インクの滲みを回避した高品質の画像を高速で記録することができる。また、このように滲み判定プリントを出力して滲み判定手段により滲みを判定することにより、新規の媒体に対しても滲み防止の最適なパラメータを設定することが可能となる。
【０１１０】
次に本発明の第２実施形態ついて説明する。
【０１１１】
図１６は、第２実施形態に係るインクジェット記録装置の概略を示す、一部ブロック図を含む概略構成図である。
【０１１２】
図１６に示すように、インクジェット記録装置１１０は、主に、インクの色（イエロー（Ｙ）、シアン（Ｃ）、マゼンタ（Ｍ）、黒（Ｋ））毎に設けられた複数の印字ヘッド１１２Ｙ、１１２Ｃ、１１２Ｍ、１１２Ｋと、これらの印字ヘッド１１２Ｙ、１１２Ｃ、１１２Ｍ、１１２Ｋの駆動制御を行うヘッドドライバ１１３と、給紙部１１４から記録媒体である記録紙１１６を印字ヘッド１１２Ｙ等へ搬送する搬送部１１８と、記録紙１１６上に吐出されたインクを定着させる定着手段１２０等を有して構成される。
【０１１３】
記録紙１１６は、図１６に示したものでは、給紙部１１４のマガジン１２２に装填されたロール紙（連続用紙）をカッター１２３で所定長に切断して用いるようにしているが、紙幅や紙質等が異なる複数のマガジンを併設してもよい。また、ロール紙のマガジンに代えて、又はこれと併用して、カット紙が積層装填されたカセットによって用紙を供給してもよい。
【０１１４】
ロール紙を使用する装置構成の場合、図１６のように、裁断用のカッター１２３が設けられており、該カッター１２３によってロール紙は所望のサイズにカットされる。なお、カット紙を使用する場合には、カッター１２３は不要である。
【０１１５】
また、本実施形態においては、紙の種類情報を記録したバーコードあるいは無線タグ等の情報記録体がマガジン１２２の媒体種検出ノッチ１２２ａに取り付けられており、その情報記録体の情報を読み取るための媒体種検出手段１２４が設置されている。後述するように、媒体種検出手段１２４によって読み取られた情報を用いて、その記録媒体に最適な制御パラメータが設定されて画像記録が行われる。
【０１１６】
マガジン１２２から送り出される記録紙１１６は、マガジン１２２に装填されていたことによる巻き癖が残り、カールする。図示は省略したが、このカールを除去するために、デカール処理部を設けてマガジンの巻き癖方向と逆方向に加熱ドラム等で記録紙１１６に熱を与え、多少印字面が外側に弱いカールとなるように加熱温度を制御するとより好ましい。
【０１１７】
搬送部１１８は、ローラ１２６、１２７間に無端状のベルト１２９が巻き掛けられた構造を有し、少なくとも印字ヘッド１１２Ｙ等のノズル面に対向する部分が平面（フラット面）をなすように構成されている。
【０１１８】
ベルト１２９は、記録紙１１６の幅よりも広い幅寸法を有しており、ベルト面には多数の吸引孔（図示省略）が形成されている。図１６に示したように、２つのローラ１２６、１２７の間に掛け渡されたベルト１２９の内側において、印字ヘッド１１２Ｙ、１１２Ｃ、１１２Ｍ、１１２Ｋのノズル面に対向する位置には吸着チャンバ１３０が設けられており、この吸着チャンバ１３０をファン１３２で吸引して負圧にすることによって、ベルト１２９上の記録紙１１６が吸着保持される。
【０１１９】
ベルト１２９が巻かれているローラ１２６、１２７の少なくとも一方（例えば図１６に示すように、左のローラ１２６）にモータ１２８の動力が伝達されることにより、ベルト１２９は、図１６において反時計回りに駆動され、ベルト１２９上に保持された記録紙１１６は図１６の右から左へと（相対的）搬送速度Ｖで搬送されるようになっている。
【０１２０】
印字ヘッド１１２Ｙ、１１２Ｃ、１１２Ｍ、１１２Ｋは、各色（ＹＣＭＫ）に対応し、それぞれが複数のノズルを有し、記録紙１１６の全幅を担うように、各印字ヘッド１１２Ｙ、１１２Ｃ、１１２Ｍ、１１２Ｋの長手方向を記録紙１１６の搬送方向と直交する紙幅方向に並べた構成で、最大紙幅に対応する長さを有するフルライン型ヘッドとなっている。
【０１２１】
また、各印字ヘッド１１２Ｙ、１１２Ｃ、１１２Ｍ、１１２Ｋの間にはやはり記録紙１１６の全幅に対応する長さを有する定着手段１２０がそれぞれ配置されている。
【０１２２】
記録紙１１６の搬送方向（図の右から左方向）に沿って上流側からＹ（イエロー）、Ｃ（シアン）、Ｍ（マゼンタ）、Ｋ（黒）の順に各色インクに対応した印字ヘッド１１２Ｙ、１１２Ｃ、１１２Ｍ、１１２Ｋが配置されている。記録紙１１６を搬送部１１８によって搬送しつつ各印字ヘッド１１２Ｙ、１１２Ｃ、１１２Ｍ、１１２Ｋからそれぞれ色インクを吐出することにより記録紙１１６上にカラー画像を形成することができる。
【０１２３】
なお、本例では、ＹＣＭＫの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出する印字ヘッドを追加する構成も可能である。
【０１２４】
また、各印字ヘッド１２Ｙ、１２Ｃ、１２Ｍ、１２Ｋに各色のインクを供給するインクタンク（図示せず）近傍には、インクの種類を検出するインク種検出手段２５が設けられている。インク種検出手段２５は、特に限定されるものではなく、例えば、カートリッジ式のインクタンクの場合、カートリッジに取り付けられた情報媒体等からインク種を示すＩＤを読み取るような構成でもよい。
【０１２５】
定着手段２０は、前述した第１実施形態と同様に、印字ヘッド１２Ｙ、１２Ｃ、１２Ｍ、１２Ｋから記録紙１６上に吐出されたインクに対し、定着エネルギーを付与してインクを記録紙１６に定着させるものであり、使用されるインクに応じて好適な手段が用いられる。
【０１２６】
定着手段１２０は、図１６に示すように４つの印字ヘッド１１２Ｙ、１１２Ｃ、１１２Ｍ、１１２Ｋのそれぞれの後段に設置され、各印字ヘッドから吐出されたインクを定着させてインクが滲んだり、次の印字ヘッドからその近傍にインクが吐出されても各インクが混色しないようにするものである。
【０１２７】
本実施形態は、記録紙１１６のインクジェットヘッド（印字ヘッド１１２Ｙ等）に対する相対搬送速度、インク吐出量及び記録紙１１６に着弾したインクを定着させるための定着エネルギーのうち少なくとも１つを可変制御することにより、記録紙１１６に着弾したインクの滲みを防止して高品質の画像記録を行うようにするものである。ここでインク吐出量は前述したように、ヘッドドライバ１１３によって制御され、ヘッドドライバ１１３が吐出量制御手段として作用する。
【０１２８】
このような滲み防止制御を実行するために、本実施形態のインクジェット記録装置１１０は、インクの吐出量を制御する吐出量制御手段としてのヘッドドライバ１１３の他に、記録紙１１６の相対搬送速度を制御する搬送制御手段１３６、インクを定着させるための定着手段１２０の定着エネルギーを制御する定着制御手段１３８、及び吐出量制御手段（ヘッドドライバ１１３）と搬送制御手段１３６及び定着制御手段１３８というこれら３つの制御手段のうち少なくとも１つを可変制御することによりインクの滲みを防止する滲み防止制御手段１４０を有している。
【０１２９】
また、相対搬送速度を制御するために相対搬送速度を検出するエンコーダ１４１がローラ１２６に設置されている。さらに、インクジェット記録装置１１０は、相対搬送速度を制御するようにした場合には、記録画像が所定のドットピッチの画像となるように各印字ヘッド（１１２Ｙ等）の吐出周波数を制御する周波数制御手段１４２を有している。
【０１３０】
また、本実施形態のインクジェット記録装置１１０は、インクの滲みを防止し、高画質の画像記録を行うために、詳しくは後述するがインクの滲みを検出判定するのに用いられる滲み判定プリントを出力する滲み判定プリント出力手段１４４、及び出力された滲み判定プリントを用いた滲み判定の結果に基いて各制御量の最適値を制御パラメータとして設定するためのパラメータ設定手段１４６を有している。
【０１３１】
吐出量制御手段（ヘッドドライバ１１３）は、各印字ヘッド１１２Ｙ、１１２Ｃ、１１２Ｍ、１１２Ｋから記録紙１１６へ吐出されるインクの吐出量を制御するものであり、例えば、図示は省略するが、インク室内のインク内圧やインク室を変形させるアクチュエータ（圧電素子）の駆動量等を制御することによりインク吐出量を制御する。インク吐出量を制御することにより、吐出されたインク液滴の大きさ、すなわち記録紙１１６表面に着弾するインク粒径を制御することができる。
【０１３２】
搬送制御手段１３６は、ロータリエンコーダ１４１の検出信号に基いて、モータ１２８の回転数を制御するものである。このとき、パラメータで最適な相対搬送速度が設定されている場合には、記録紙１１６の相対搬送速度がその速度となるように、モータ１２８の回転を制御する。
【０１３３】
定着制御手段１３８は、このようにインク種及び媒体種（記録紙１１６の種類）に応じてそのエネルギーを制御しつつ、それぞれ記録紙１１６上に着弾したインクに対して、熱エネルギーを付与したり、ファンで熱風を送る等により、インクを定着させることによってインクを固定させて滲みを防止するものである。
【０１３４】
滲み防止制御手段１４０は、ヘッドドライバ１１３（吐出量制御手段）、搬送制御手段１３６、定着制御手段１３８のうち少なくとも１つを制御することによりインクの滲みを防止するものである。具体的な制御方法は、後述するようにパラメータ設定手段１４６によってそれぞれ最適な制御量として設定されるパラメータに応じて各制御手段を制御することによって行われる。
【０１３５】
また、周波数制御手段１４２は、記録紙１１６の相対的搬送速度が変更された場合に、それに合わせて各印字ヘッド１１２Ｙ、１１２Ｃ、１１２Ｍ、１１２Ｋからのインク吐出タイミングを制御して、記録画像が所定のドットピッチの画像となるようにするものである。
【０１３６】
本実施形態のインクジェット記録装置１１０のシステム構成も前述した第１実施形態と同様であるため、詳細な説明は省略する。
【０１３７】
次に、本実施形態におけるインク滲み防止のための最適なパラメータを設定する方法について説明する。
【０１３８】
そのためには、まずインクの滲み判定プリントが作成される。この滲み検出判定用のパターン（滲み判定プリント）は、条件の違いによってインクがどのように滲むかを検出するためのものであり、各印字ヘッド１１２Ｙ、１１２Ｍ、１１２Ｃ、１１２Ｋから記録紙１１６に向けて、インク吐出量（インク粒径φ）、相対的搬送速度Ｖ及び定着エネルギーＥを変えてインクを吐出して作成される。
【０１３９】
図１７に、本実施形態における滲み検出判定用のパターン（滲み判定プリント）の例を示す。図１７に示すように、滲み判定プリント７２は、インク粒径を大φHiと小φLow の２段階、相対搬送速度Ｖ及び定着エネルギーＥをそれぞれ、高位大ｍａｘ、中位ｍｉｄ、低位ｌｏｗの３段階に変化させて各インクの色毎に滲み判定用パッチ７４を記録したものにより構成されている。また、滲み判定用パッチ７４は、ここに示したものには限定されず、他のパラメータ、例えば印字環境温度や湿度あるいはその他のインクの滲みに関係するファクターを含むようにしてもよい。
【０１４０】
各滲み判定用パッチ７４の各色毎のパッチ７６は、図１８に拡大して示すように、それぞれ複数の所定長の線分７７がその幅及び間隔を次第に狭めながら記録されている。この線分７７の間隔は、図１８に示すように例えば最初０．５［ｍｍ］であったのが、次第に狭くなって行き、最後は０．０５［ｍｍ］の狭い間隔となっている。このインク色の部分の間はインクは吐出せず記録紙１１６の地色（通常は白）である。したがって各パッチ７６は、インク色と白（記録紙１６の地色）が交互に並んで構成される。
【０１４１】
このように滲み判定プリント７２は、インク吐出量（インク粒径φ）を２段階、相対的搬送速度Ｖ及び定着エネルギーＥそれぞれ３段階変化させて各色の線分で形成されるパッチが記録されている。結局このような滲み判定用パッチ７４が２×３×３＝１８通りずつ形成される。この滲み判定用パッチ７４の各色ごとのパッチ７６には、それぞれＣ０１〜Ｃ１８、Ｍ０１〜Ｍ１８、・・・等のように番号（チャートＮｏ．）を振っておき後述するように制御パラメータを設定する際に利用するようにする。
【０１４２】
この滲み判定プリント７２は、オペレータによって目視で判定される。すなわち、図１８に示すように、本実施形態の滲み判定用パッチ７４を形成する各色ごとのパッチ７６は、次第にその線幅及び間隔が狭くなって行くような解像度チャートを形成している。このように次第に狭くなっていく解像度チャートの線分のどこまでをオペレータが目視で判定できるかで滲みを判定するものである。
【０１４３】
次に、本実施形態の作用を図１９のフローチャートに沿って説明する。
【０１４４】
まず図１９のステップＳ２００において、インクジェット記録装置１１０に記録紙１１６を供給するためのマガジン１２２を装填する。マガジン１２２が装填されると、媒体種検出手段１２４によってマガジン１２２に付された媒体種検出ノッチ１２２ａから媒体種情報が読み取られる。媒体種検出手段１２４によって読み取られた情報はパラメータ設定手段１４６に送られる。一方、インク種検出手段１２５によってインク種がインクカートリッジ等から検出されて同様にパラメータ設定手段１４６に送られる。なお、これらの媒体種あるいはインク種の情報はオペレータによってパラメータ設定手段１４６に入力するようにしてもよい。
【０１４５】
次に、ステップＳ２１０において、滲み判定プリント出力手段１４４からヘッドドライバ１１３を介して印字ヘッド１１２Ｙ、１１２Ｃ、１１２Ｍ、１１２Ｋを駆動して、前述した図１７に示すような滲み判定プリント７２が出力される。
【０１４６】
次に、ステップＳ２２０において、オペレータは出力された滲み判定プリントを目視で判定する。すなわち、図１８に示すような各色毎に次第に幅、間隔が狭くなっていく線分がどこまで分離されていることが視認されるかで滲みを判定する。
【０１４７】
次に、ステップＳ２３０において、滲みの判定結果とその時の目的に応じて制御パラメータを設定する。例えば、なるべく高速で記録したい場合には、搬送速度Ｖが高い制御パラメータの組み合わせを選択する。オペレータは、最適な制御パラメータの組み合わせのパッチ７６を選択すると、それに付されたＣ０１、Ｍ０１等のパッチＮｏ．を用いてパラメータ設定手段１４６に制御パラメータを入力する。
【０１４８】
このとき、パラメータ設定手段１４６は、先に入力されていた媒体種、インク種とこれらの制御パラメータを対応付けて記憶するとともに、各制御手段に対してこの制御パラメータを設定する。
【０１４９】
次に、ステップＳ２４０において、滲み防止制御手段１４０は、今設定された制御パラメータによって各制御手段を制御して、滲みの回避された高画質な画像を記録する。
【０１５０】
このように、本実施形態によれば、オペレータが目視により滲み判定プリントで滲みを判定するようにしているため、確実に滲みを判定することができ、どのような記録媒体であっても、滲みを回避した高画質な画像記録を行うことができる。
【０１５１】
また、パラメータ設定手段１４６が、設定された制御パラメータを媒体種及びインク種と対応付けて記憶するようにしているため、次に同じ媒体種とインク種で画像記録を行う際には、記憶されている制御パラメータを呼び出して用いればよく、改めて滲み判定プリントを出力して制御パラメータを設定しなくてもよい。
【０１５２】
なお、以上説明した実施形態においては、印字ヘッドは、記録紙幅方向長尺ラインヘッドであったが、本発明は長尺ラインヘッドに限定されるものではなく、シャトル型のヘッドに対しても適用可能である。すなわち、記録紙幅方向の１ライン分を、長尺ラインヘッドの場合は一度に記録するところ、シャトルヘッドの場合には、記録紙幅方向に走査しながら記録する点が異なるのみであり、その他の点については同様である。
【０１５３】
以上、本発明の滲み判定方法並びに画像記録方法及び装置について詳細に説明したが、本発明は、以上の例には限定されず、本発明の要旨を逸脱しない範囲において、各種の改良や変形を行ってもよいのはもちろんである。
【図面の簡単な説明】
【０１５４】
【図１】本発明の画像記録装置の第１実施形態に係るインクジェット記録装置の概略を示す一部ブロック図を含む概略構成図である。
【図２】図１の印字ヘッド付近を拡大して示す平面図である。
【図３】本実施形態のインクジェット記録装置のシステム構成を示すブロック図である。
【図４】浸透系の記録媒体においてインク滲みを回避する方法の原理を示す説明図であり、（ａ）、（ｂ）は溶媒系のインクの場合、（ｃ）、（ｄ）はマトリクス硬化型のインクの場合である。
【図５】非浸透系の記録媒体においてインク滲みを回避する方法の原理を示す説明図であり、（ａ）、（ｂ）は溶媒系のインクの場合、（ｃ）、（ｄ）はマトリクス硬化型のインクの場合である。
【図６】第１実施形態における滲み判定プリントの例を示す説明図である。
【図７】（ａ）は図６の滲み判定プリントの滲み判定用パッチの例を拡大して示す説明図であり、（ｂ）はこのパッチの濃度測定方法を示す説明図である。
【図８】（ａ）、（ｂ）は濃度測定の原理を示す説明図である。
【図９】測定した濃度プロフィールを示す線図である。
【図１０】ギザツキ度の測定の様子を示す説明図である。
【図１１】ギザツキ度の測定における濃度プロフィールを示す線図である。
【図１２】滲み防止制御のための各パラメータを示す説明図である。
【図１３】画質モードと重み係数の関係を示す説明図である。
【図１４】限定オプションの場合の制御可変パラメータを示す説明図である。
【図１５】第１実施形態の作用を示すフローチャートである。
【図１６】本発明の画像記録装置の第２実施形態に係るインクジェット記録装置の概略を示す一部ブロック図を含む概略構成図である。
【図１７】第２実施形態における滲み判定プリントの例を示す説明図である。
【図１８】図１７の滲み判定プリントのパッチを拡大して示す説明図である。
【図１９】本実施形態の作用を示すフローチャートである。
【符号の説明】
【０１５５】
１０…インクジェット記録装置（画像記録装置）、１２Ｙ、１２Ｃ、１２Ｍ、１２Ｋ…印字ヘッド、１３、１３４…ヘッドドライバ（吐出量制御手段）、１４…給紙部、１６…記録紙、１８…搬送部、２０…定着手段、２２…マガジン、２２ａ…媒体種検出ノッチ、２３…カッター、２４…媒体種検出手段、２５…インク種検出手段、２６、２７…ローラ、２８…モータ、２９…ベルト、３０…吸着チャンバ、３２…ファン、３６…搬送制御手段、３８…定着制御手段、４０…滲み防止制御手段、４１…エンコーダ、４２…周波数制御手段、４４…滲み判定プリント出力手段、４５…濃度計、４６…パラメータ設定手段、４８…滲み判定手段、６８、７２…滲み判定プリント
【図１】
2005313633.tif 000003
【図２】
2005313633.tif 000004
【図３】
2005313633.tif 000005
【図４】
2005313633.tif 000006
【図５】
2005313633.tif 000007
【図６】
2005313633.tif 000008
【図７】
2005313633.tif 000009
【図８】
2005313633.tif 000010
【図９】
2005313633.tif 000011
【図１０】
2005313633.tif 000012
【図１１】
2005313633.tif 000013
【図１２】
2005313633.tif 000014
【図１３】
2005313633.tif 000015
【図１４】
2005313633.tif 000016
【図１５】
2005313633.tif 000017
【図１６】
2005313633.tif 000018
【図１７】
2005313633.tif 000019
【図１８】
2005313633.tif 000020
【図１９】
2005313633.tif 000021